(57)【要約】【課題】  本発明は、放射線画像の転送状況に基づいて、転送を継続するか、または転送を中断するかを判定して転送を制御すること。【解決手段】放射線撮影システムは、受光した放射線に基づいて生成した放射線画像を転送する撮影部と、放射線画像の転送状況に基づいて、転送を継続するか、または転送を中断するかを判定して転送を制御する制御部と、を備える。【選択図】  図１
2017185153.tif 000002
【特許請求の範囲】
【請求項１】
受光した放射線に基づいて生成した放射線画像を転送する撮影手段と、
前記放射線画像の転送状況に基づいて、前記転送を継続するか、または前記転送を中断するかを判定して前記転送を制御する制御手段と、
を備えることを特徴とする放射線撮影システム。
【請求項２】
受光した放射線に基づいて生成した放射線画像を転送する撮影手段と、
前記放射線画像の転送状況に基づいて、前記放射線画像の受信を継続するか、または前記放射線画像の受信を終了するかを判定する受信制御手段と、
を備えることを特徴とする放射線撮影システム。
【請求項３】
前記撮影手段は、前記生成した放射線画像を縮小した縮小画像データの転送が完了した後に、前記生成した放射線画像を転送することを特徴とする請求項１に記載の放射線撮影システム。
【請求項４】
前記制御手段は、前記放射線画像の転送にかかる経過時間を計測する計測手段を備え、
前記制御手段は、前記放射線画像の転送が完了していない場合に、前記計測された時間と、設定された中断判定時間との比較に基づいて、で前記転送を継続するか、または前記転送を中断するかを判定することを特徴とする請求項３に記載の放射線撮影システム。
【請求項５】
前記制御手段は、前記計測された時間が、前記設定された時間を超えていない場合、前記転送を継続すると判定することを特徴とする請求項４に記載の放射線撮影システム。
【請求項６】
前記制御手段は、前記計測された時間が、前記設定された時間を超えている場合、前記転送を中断すると判定することを特徴とする請求項４に記載の放射線撮影システム。
【請求項７】
前記制御手段は、前記転送を中断する場合、画像転送の中断を示す通知を出力することを特徴とする請求項４または６に記載の放射線撮影システム。
【請求項８】
前記通知を表示手段に表示させる表示制御手段を更に備えることを特徴とすする請求項７に記載の放射線撮影システム。
【請求項９】
前記表示制御手段は、前記画像転送が中断した画像の再転送を指示する再転送指示手段と、前記画像転送の終了を指示する終了指示手段とを前記表示手段の表示画面内に表示させることを特徴とする請求項８に記載の放射線撮影システム。
【請求項１０】
前記再転送指示手段から前記画像の再転送が指示された場合、前記制御手段は、前記中断した転送を再開するように転送制御を行うことを特徴とする請求項９に記載の放射線撮影システム。
【請求項１１】
前記再転送指示手段から前記画像の再転送が指示された場合、前記制御手段は、画像データにおいて中断した画素を示す画素情報に基づいて、前記中断した画素から未転送の画像データを転送するように転送制御を行うことを特徴とする請求項１０に記載の放射線撮影システム。
【請求項１２】
前記再転送指示手段から前記画像の再転送が指示された場合、前記制御手段は、転送開示時の画像データを初めから転送するように転送制御を行うことを特徴とする請求項１０に記載の放射線撮影システム。
【請求項１３】
前記撮影手段の画像サイズに基づいて、中断判定時間を設定する設定手段を更に備え、
前記中断判定時間には、前記縮小画像データの転送の中断を判定するための第一の中断判定時間と、前記生成した放射線画像データの転送の中断を判定するための第二の中断判定時間とが含まれることを特徴とする請求項８または９に記載の放射線撮影システム。
【請求項１４】
前記第二の中断判定時間は、前記第一の中断判定時間よりも長い時間であることを特徴とする請求項１３に記載の放射線撮影システム。
【請求項１５】
前記第一の中断判定時間は、前記縮小画像データを表示手段に表示させるために要する時間であり、前記第二の中断判定時間は、前記生成された放射線画像を表示手段に表示させるために要する時間であることを特徴とする請求項１３または１４に記載の放射線撮影システム。
【請求項１６】
前記転送された画像を受信する受信制御手段を更に備え、
前記受信制御手段は、前記撮影手段により撮影される画像サイズと画像転送が完了した画像データとに基づいて、転送が完了した割合を示す画像転送の進捗率を計算することを特徴とする請求項１３に記載の放射線撮影システム。
【請求項１７】
前記表示制御手段は、前記画像転送の進捗率を前記表示手段に表示させることを特徴とする請求項１６に記載の放射線撮影システム。
【請求項１８】
前記受信制御手段は、前記縮小画像データの受信が完了したか否かを判定し、前記縮小画像データの受信が完了している場合、
前記表示制御手段は、前記縮小画像データを前記表示手段に表示させることを特徴とする請求項１６または１７に記載の放射線撮影システム。
【請求項１９】
前記受信制御手段は、画像データの受信開始からの経過時間を計測する計測手段を備え、
前記受信制御手段は、前記縮小画像データの受信が完了したか否かを判定し、前記縮小画像データの受信が完了していない場合に、前記計測された時間と、前記第一の中断判定時間に基づく時間との比較により、前記縮小画像データの受信を継続するか、または前記縮小画像データの受信を終了するかを判定する
ことを特徴とする請求項１６または１７に記載の放射線撮影システム。
【請求項２０】
前記受信制御手段は、前記生成された放射線画像データの受信が完了したか否かを判定し、前記放射線画像データの受信が完了している場合、
前記表示制御手段は、前記放射線画像データを前記表示手段に表示させることを特徴とする請求項１６または１７に記載の放射線撮影システム。
【請求項２１】
前記受信制御手段は、画像データの受信開始からの経過時間を計測する計測手段を備え、
前記受信制御手段は、前記生成された放射線画像データの受信が完了したか否かを判定し、
前記生成された放射線画像データの受信が完了していない場合に、前記計測された時間と、前記第二の中断判定時間に基づく時間との比較により、前記生成された放射線画像データの受信を継続するか、または前記生成された放射線画像データの受信を終了するかを判定する
ことを特徴とする請求項１６または１７に記載の放射線撮影システム。
【請求項２２】
前記第一の中断判定時間に基づく時間は、前記第一の中断判定時間に、設定可能な付加時間を加算した時間であり、前記第二の中断判定時間に基づく時間は、前記第二の中断判定時間に、設定可能な付加時間を加算した時間であることを特徴とする請求項１９または２１に記載の放射線撮影システム。
【請求項２３】
前記第一の中断判定時間および前記第二の中断判定時間は、撮影条件によって決定される前記撮影手段における放射線の蓄積時間に基づいて設定されることを特徴とする請求項１３乃至１５のいずれか１項に記載の放射線撮影システム。
【請求項２４】
前記表示制御手段は、画像編集操作を行うための画像編集手段を前記表示手段の表示画面内に表示させることを特徴とする請求項１８または２０に記載の放射線撮影システム。
【請求項２５】
受光した放射線に基づいて生成した放射線画像を転送する撮影手段と、
前記放射線画像の転送状況に基づいて、前記転送を継続するか、または前記転送を中断するかを判定して前記転送を制御する制御手段と、
を備えることを特徴とする放射線撮影装置。
【請求項２６】
受光した放射線に基づいて生成した放射線画像を転送する工程と、
前記放射線画像の転送状況に基づいて、前記転送を継続するか、または前記転送を中断するかを判定して前記転送を制御する工程と、
を有することを特徴とする放射線撮影方法。
【請求項２７】
受光した放射線に基づいて生成した放射線画像を転送する撮影工程と、
前記放射線画像の転送状況に基づいて、前記放射線画像の受信を継続するか、または前記放射線画像の受信を終了するかを判定する工程と、
を有することを特徴とする放射線撮影方法。
【請求項２８】
コンピュータを、請求項１乃至２４のいずれか１項に記載の放射線撮影システムの各手段として機能させるためのプログラム。
【発明の詳細な説明】
【技術分野】
【０００１】
本発明は、放射線撮影システム、放射線撮影装置、放射線撮影方法およびプログラムに関するものである。
【背景技術】
【０００２】
放射線画像のデジタル化により、放射線撮影直後の画像確認が可能になり、従来のフィルムを利用した放射線撮影に比べてワークフローが改善されている。例えば、無線通信媒体を介して放射線撮影装置から画像を無線通信する放射線撮影システムでは、無線通信で画像を通信することで、放射線撮影装置の可搬性が改善されるとともに、撮影場所は撮影室に限定されず種々の場所で撮影を行うことが可能になっている。
【０００３】
画像を通信する場合、通信を妨害するノイズ等の影響により通信環境が変化して安定して画像を通信できない場合が生じ得る。特許文献１の構成では、通信を確実に行うため、良好な通信環境において画像通信を可能にし、良好な環境以外では、通信を禁止することで安定した画像通信を確保している。
【先行技術文献】
【特許文献】
【０００４】
【特許文献１】特開２０１３−２４０４３３号公報
【発明の概要】
【発明が解決しようとする課題】
【０００５】
しかしながら、引用文献１の構成では、良好な環境以外では、通信は禁止される。このため、引用文献１の構成では、無線環境が比較的良好でない場合において画像通信を行うことはできず、通信環境が良好に回復するまで画像通信操作のために操作者の作業は拘束される。
【０００６】
本発明は、上記の課題に鑑み、放射線画像の転送状況に基づいて、転送を継続するか、または転送を中断するかを判定して転送を制御することが可能な放射線撮影技術を提供することを目的とする。
【課題を解決するための手段】
【０００７】
本発明の一態様による放射線撮影システムは、受光した放射線に基づいて生成した放射線画像を転送する撮影手段と、
前記放射線画像の転送状況に基づいて、前記転送を継続するか、または前記転送を中断するかを判定して前記転送を制御する制御手段と、
を備えることを特徴とする。
【発明の効果】
【０００８】
本発明によれば、放射線画像の転送状況に基づいて、転送を継続するか、または転送を中断するかを判定して転送を制御することが可能な放射線撮影技術を提供することが可能になる。
【図面の簡単な説明】
【０００９】
【図１】実施形態における放射線撮影システムの構成図
【図２】実施形態におけるコンソールの処理手順を示す図。
【図３】実施形態における放射線撮影部の処理手順を示す図。
【図４】実施形態における放射線撮影部の処理手順を示す図。
【図５】外部表示装置における縮小画像データの表示例を示す図。
【図６】実施形態における外部表示装置の表示例を示す図。
【図７】外部表示装置における転送進捗率と、転送中断メッセージの表示例を示す図。
【図８】実施形態における外部表示装置の表示例を示す図。
【図９】（ａ）画像サイズと画像データ表示時間との関係を例示する図、（ｂ）実施形態における放射線撮影部とタイムアウト時間の組み合わせを例示する図。
【図１０】第２実施形態におけるコンソールの処理手順を示す図。
【図１１】第３実施形態におけるコンソールの処理手順を示す図。
【図１２】第３実施形態における撮影条件と蓄積時間の組み合わせ例を示す図。
【発明を実施するための形態】
【００１０】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。本明細書において、放射線は、例えば、電磁波やα線、β線、γ線などであってもよい。以下、図を参照しながら実施形態に係る放射線撮影システムの構成について説明する。
【００１１】
＜第１実施形態＞
第１実施形態では、放射線撮影部（放射線撮影装置）側において、放射線画像の転送状況に基づいて、転送を継続するか、または転送を中断するかを判定して転送を制御する構成を説明する。本実施形態の放射線撮影システムにおいて、放射線撮影部は、生成した放射線画像を縮小した縮小画像データの転送が完了した後に、生成した放射線画像（全画像データ）を転送する。転送状況は、放射線画像の転送にかかる経過時間（計測された時間）と、設定された中断判定時間との比較に基づいて、放射線撮影システムは、転送を継続するか、または転送を中断するかが判定する。第１実施形態では、無線環境が比較的良好でない場合でも、長時間をかけてでも画像通信を完了させることができ、操作者が次の行動をより早期に開始できるように、画像通信を制御することが可能になる。
【００１２】
図１は第１実施形態における放射線撮影システム１０の構成例を示す図である。放射線撮影システム１０は、その機能的な構成として、複数の放射線撮影部１０１、およびコンソール１０２（制御装置）を備える。放射線撮影システム１０において、放射線撮影部１０１（放射線撮影装置）は、受光した放射線に基づいて生成した放射線画像を転送することが可能である。放射線撮影部１０１は、放射線発生装置２０からの放射線を受光し、受光した放射線に基づきデジタル画像を生成し、生成した放射線画像を転送する。放射線撮影部１０１は、放射線画像の撮影および放射線画像の転送を制御する制御部１０３を有しており、制御部１０３は、放射線画像の転送状況に基づいて、転送を継続するか、または転送を中断するかを判定して転送を制御することが可能である。コンソール１０２（制御装置）は、複数の放射線撮影部の中から使用する放射線撮影部１０１を決定し、放射線撮影部１０１への撮影準備要求や放射線撮影部１０１から受信したデジタル画像の表示や画像編集操作を行う。
【００１３】
コンソール１０２（制御装置）は、その機能的な構成として、撮影制御部１０２１、受信制御部１０２２、表示制御部１０２３、操作検知部１０２４を備える。
【００１４】
コンソール１０２（制御装置）において、撮影制御部１０２１は、放射線撮影部１０１に対して撮影準備要求やタイムアウト時間の設定、放射線撮影部における撮影の制御、撮影された画像データの転送および再転送のための転送制御を行うことが可能である。受信制御部１０２２は、放射線撮影部１０１から送信された画像（画像データ）の受信処理を行い、放射線画像の転送状況に基づいて、放射線画像の受信を継続するか、または放射線画像の受信を終了するかを判定することが可能である。表示制御部１０２３は、表示装置３０と接続しており、受信制御部１０２２が受信した画像を表示装置３０に表示させるための表示制御を行う。操作検知部１０２４は、操作装置４０と接続しており、操作装置４０から操作者による入力情報を受ける。操作検知部１０２４は、撮影制御部１０２１および表示制御部１０２３と接続しており、撮影制御部１０２１および表示制御部１０２３は、操作検知部１０２４からの入力情報に基づいて動作可能である。
【００１５】
放射線撮影部１０１とコンソール１０２（制御装置）との通信は有線通信でもよいし、無線通信でもよい。また、無線通信である場合に、放射線撮影部１０１とコンソール１０２（制御装置）のどちらがアクセスポイントの機能を担ってもよい。
【００１６】
（コンソール１０２の処理手順）
次に、放射線撮影システム１０のコンソール１０２の処理手順を説明する。図２は、放射線撮影システム１０において、コンソール１０２が撮影で使用する放射線撮影部１０１を特定し、放射線撮影を実施し、放射線撮影を終了するまでの、コンソール１０２の処理手順を示すフローチャートである。
【００１７】
まず、ステップＳ１０１において、コンソール１０２の撮影制御部１０２１は、複数の放射線撮影部(以下、単に「撮影部」ともいう)の中から撮影で使用する放射線撮影部１０１を決定し、撮影制御部１０２１は、決定した放射線撮影部１０１に対して通知する。図５は、表示装置３０の表示例を示す図であり、例えば、図５のような表示装置３０に表示する画面には、放射線撮影で使用する放射線撮影部の状態や患者情報、撮影条件が表示されている。撮影条件には紐付いた撮影部が設定されている。例えば、図５の表示例では、撮影条件１（撮影部位：CHESTPA、時間：500msec）には、撮影部Ａが対応しており、撮影条件５（撮影部位：CHESTPA、時間：600msec）には、撮影部Ｂが対応している。ＧＵＩあるいは外部操作装置等で入力される撮影条件の選択に基づいて、コンソール１０２は、放射線撮影で使用する放射線撮影部１０１を決定することができる。図５の表示例では、撮影条件１が選択された状態（選択中）であり、撮影条件１の撮影で使用する撮影部（この場合は撮影部Ａ）の状態表示５０１が「撮影準備中」と表示された状態になっている。
【００１８】
ステップＳ１０２において、撮影制御部１０２１は、放射線撮影部１０１の画像サイズに基づいて、中断判定時間を設定する。ここで、中断判定時間には、縮小画像データの転送の中断を判定するための第一の中断判定時間と、生成した放射線画像データ（全画像データ）の転送の中断を判定するための第二の中断判定時間とが含まれる。第二の中断判定時間は、第一の中断判定時間よりも長い時間である。撮影制御部１０２１は、ステップＳ１０１で決定した放射線撮影部１０１に対応する第一の中断判定時間（第一のタイムアウト時間ａ）、および第二の中断判定時間（第二のタイムアウト時間ｂ）を、放射線撮影部１０１に対して送信する。ここで、第一の中断判定時間（第一のタイムアウト時間ａ）は、撮影部で生成された画像を縮小した縮小画像データを表示装置３０に表示させるために要する時間（縮小画像データ表示時間）に対応し、第二の中断判定時間（第二のタイムアウト時間ｂ）は、撮影部で生成された放射線画像（全画像データ）を表示装置３０に表示させるために要する時間（全画像データ表示時間）に対応する。
【００１９】
図９（ａ）は、画像サイズと画像データ表示時間との関係を例示する図であり、図９（ｂ）は、実施形態における放射線撮影部とタイムアウト時間の組み合わせを例示する図である。図９（ｂ）では、放射線撮影部のそれぞれに設定されている画像サイズと、第一のタイムアウト時間ａおよび第二のタイムアウト時間ｂの組み合せが例示されている。撮影制御部１０２１は、図９（ａ）、（ｂ）に示すテーブルを記憶する不揮発性の記憶部を有しており、ステップＳ１０１で決定した放射線撮影部１０１に対応する第一の中断判定時間（第一のタイムアウト時間ａ）、および第二の中断判定時間（第二のタイムアウト時間ｂ）を図９（ｂ）のテーブルから取得して、放射線撮影部１０１に対して送信する。ステップＳ１０１では、撮影部Ａが選択されているので、撮影制御部１０２１は、撮影部Ａに対応する第一の中断判定時間（第一のタイムアウト時間ａ）として「８０００ｍｓｅｃ」を放射線撮影部１０１に対して送信し、第二の中断判定時間（第二のタイムアウト時間ｂ）として「３３０００ｍｓｅｃ」を放射線撮影部１０１に対して送信する。
【００２０】
尚、撮影制御部１０２１は、撮影部の画像サイズに合った画像データ表示時間から、第一のタイムアウト時間ａ、第二のタイムアウト時間ｂを決定してもよい。例えば、撮影部Ａの画像サイズは２８００(pixel)×３４０８(pixel)であり、撮影制御部１０２１は、この画像サイズに対応する画像データ表示時間（縮小画像データ表示時間８０００ｍｓｅｃ、全画像データ表示時間３３０００ｍｓｅｃ）を図９（ａ）のテーブルから取得して、第一の中断判定時間（第一のタイムアウト時間ａ）、および第二の中断判定時間（第二のタイムアウト時間ｂ）として放射線撮影部１０１に対して送信することが可能である。
【００２１】
次に、ステップＳ１０３において、受信制御部１０２２は、転送された画像を受信する。受信制御部１０２２は、放射線撮影部１０１が画像データの送信を始めたことをきっかけに、画像データの受信を開始する。
【００２２】
ステップＳ１０４において、受信制御部１０２２は、縮小画像データの受信が完了したか否かを判定する。縮小画像データの受信が完了していれば（Ｓ１０４−Ｙｅｓ）、処理はステップＳ１０６へ進められる。一方、縮小画像データの受信が完了していなければ（Ｓ１０４−Ｎｏ）、処理はステップＳ１０５へと進められる。受信制御部１０２２は、縮小画像データの受信が完了したか否かを判定し、ステップＳ１０５において、受信制御部１０２２は、放射線撮影部１０１が画像転送を中断したか否かを判定する。放射線撮影部１０１において画像転送が中断された場合、放射線撮影部１０１は、画像転送を中断した旨をコンソール１０２に通知する。受信制御部１０２２は、放射線撮影部１０１から送信される通知に基づいて、放射線撮影部１０１が画像転送を中断したか否かを判定することが可能である。放射線撮影部１０１が画像転送を中断していれば（Ｓ１０５−Ｙｅｓ）、処理はステップＳ１１２へ進められる。
【００２３】
一方、放射線撮影部１０１が画像転送を中断していなければ（Ｓ１０５−Ｎｏ）、処理はステップＳ１０４へと戻され、ステップＳ１０４において同様の処理が実行される。そして、ステップＳ１０４において、縮小画像データの受信が完了していると判定された場合（Ｓ１０４−Ｙｅｓ）、処理はステップＳ１０６へ進められる。受信制御部１０２２は、縮小画像データの受信が完了したか否かを判定し、縮小画像データの受信が完了している場合、表示制御部１０２３は、縮小画像データを表示装置３０に表示させる。
【００２４】
すなわち、ステップＳ１０６において、表示制御部１０２３は、受信が完了した縮小画像データを表示装置３０に表示させる。更に、ステップＳ１０７において、表示制御部１０２３は、表示装置３０に表示させた縮小画像データに対して画像編集を可能とする。ここで、図６は、表示装置３０における縮小画像データの表示例を示す図である。表示制御部１０２３は、例えば、図６のように縮小画像データを表示装置３０に表示させて、画像の切り出し、画像の回転、画像の反転などの画像編集操作を可能とするように表示制御を行う。表示制御部１０２３は、画像編集操作を行うための画像編集部６０１を表示装置３０の表示画面内に表示させて、画像編集部６０１を介した編集操作に基づいて、縮小画像データの画像編集操作を可能とする。
【００２５】
縮小画像データが表示された状態（図６）では、撮影部Ａにおいて縮小画像データの転送処理は完了した状態であり、撮影部Ａは、全画像データの転送を行っている状態である。表示制御部１０２３は撮影部Ａの状態表示６０２を「全画像データ転送中」と表示させる。
【００２６】
次に、ステップＳ１０８において、受信制御部１０２２は、全画像データの受信が完了したか否かを判定する。全画像データの受信が完了していれば（Ｓ１０８−Ｙｅｓ）、処理はステップＳ１１０へ進められる。一方、全画像データの受信が完了していなければ（Ｓ１０８−Ｎｏ）、処理はステップＳ１０９へと進められる。
【００２７】
ステップＳ１０９において、受信制御部１０２２は、放射線撮影部１０１が画像転送を中断したか否かを判定する。放射線撮影部１０１において画像転送が中断された場合、放射線撮影部１０１は、画像転送を中断した旨をコンソール１０２に通知する。受信制御部１０２２は、放射線撮影部１０１から送信される通知に基づいて、放射線撮影部１０１が画像転送を中断したか否かを判定することが可能である。放射線撮影部１０１が画像転送を中断していれば（Ｓ１０９−Ｙｅｓ）、処理はステップＳ１１２へ進められる。一方、放射線撮影部１０１が画像転送を中断していなければ（Ｓ１０９−Ｎｏ）、処理はステップＳ１０８へと戻され、ステップＳ１０８において同様の処理が実行される。そして、ステップＳ１０８において、全画像データの受信が完了していると判定された場合（Ｓ１０８−Ｙｅｓ）、処理はステップＳ１１０へ進められる。受信制御部１０２２は、生成された放射線画像データ（全画像データ）の受信が完了したか否かを判定し、生成された放射線画像データ（全画像データ）の受信が完了している場合、表示制御部１０２３は、放射線画像データ（全画像データ）を表示装置３０に表示させる。表示制御部１０２３は、画像編集操作を行うための画像編集部８０１を表示装置３０の表示画面内に表示させて、画像編集部８０１を介した編集操作に基づいて、縮小画像データの画像編集操作を可能とする。
【００２８】
すなわち、ステップＳ１１０において、表示制御部１０２３は、受信が完了した全画像データを表示装置３０に表示させ、ステップＳ１１１において、受信制御部１０２２は、画像データの受信処理を終了する。画像データの転送が中断された場合において、画像転送の終了指示が入力された場合、本ステップで、撮影制御部１０２１は、中断した画像の転送を終了させる。ここで、図８は、表示装置３０における全画像データの表示例を示す図である。表示制御部１０２３は、例えば、図８のように全画像データを表示装置３０に表示させて、画像の切り出し、画像の回転、画像の反転などの画像編集操作を可能とするように表示制御を行う。表示制御部１０２３は、画像編集操作を行うための画像編集部８０１を表示装置３０の表示画面内に表示させて、画像編集部８０１を介した編集操作に基づいて、全画像データの画像編集操作を可能とする。
【００２９】
全画像データが表示された状態（図８）では、撮影部Ａにおいて全画像データの転送処理は完了した状態であり、図８の表示例では、撮影部Ａを使用した撮影条件１は撮影済として表示されている（８０２）。また、次の撮影では、撮影部Ｂを使用する撮影条件５が選択された状態（選択中）として表示されている（８０３）。図８では、撮影条件５の撮影で使用する撮影部（この場合は撮影部Ｂ）の状態表示８０４が「撮影準備中」と表示された状態になっている。
【００３０】
次に、ステップＳ１１２において、受信制御部１０２２は、ステップＳ１０５やステップＳ１０９で画像転送が中断したと判定したため、画像データの受信処理を中断する。
【００３１】
ステップＳ１１３において、受信制御部１０２２は、放射線撮影部１０１により撮影される画像サイズと画像転送が完了した画像データとに基づいて、転送が完了した割合を示す画像転送の進捗率を計算する。すなわち、受信制御部１０２２は、画像転送を中断する前までに、全画像データにおける何パーセント分の画像データを受信しているか、画像転送の進捗率（転送進捗率）を計算する。例えば、撮影部Ａにより撮影される画像サイズは、図９に示すように、撮影部Ａの画像サイズは２８００(pixel)×３４０８(pixel)であり、受信制御部１０２２は、この画像サイズに対する画像転送が完了した画像データの割合を取得することにより画像転送の進捗率（転送進捗率）を計算することが可能である。この例では、撮影部Ａの例を示しているが図９（ｂ）に示す他の撮影部を使用した場合であっても同様である。
【００３２】
更に、ステップＳ１１４において、表示制御部１０２３は、ステップＳ１１３で計算された画像転送の進捗率（転送進捗率）と、転送が中断したことを通知するメッセージを表示装置３０に表示させる。放射線撮影部１０１の制御部１０３は、転送を中断する場合、画像転送の中断を示す通知を出力し、表示制御部１０２３は、通知を表示装置３０に表示させる。また、表示制御部１０２３は、画像転送の進捗率を表示装置３０に表示させる。ここで、図７は、表示装置３０における画像転送の進捗率（転送進捗率）と、転送が中断したことを通知するメッセージの表示例を示す図である。画像データの転送が中断された状態（図７）では、撮影で使用している撮影部（この場合は撮影部Ａ）の状態表示７０３が「画像転送中断」と表示された状態になっている。表示制御部１０２３は、画像転送が中断した画像の再転送を指示する再転送指示部と、画像転送の終了を指示する終了指示部とを表示装置３０の表示画面内に表示させる。例えば、図７に示すように、表示制御部１０２３は、画像の再転送を撮影部に指示する再転送指示部７０１と、画像転送の終了を指示する終了指示部７０２を表示装置３０の表示画面内に表示させて、再転送指示部７０１または終了指示部７０２を介した操作に基づいて、画像の再転送を実行するか、画像の転送を終了させるかを選択することを可能にする。再転送指示部７０１から画像の再転送が指示された場合、放射線撮影部１０１の制御部１０３は、中断した転送を再開するように転送制御を行う。
【００３３】
操作検知部１０２４は、再転送指示部７０１または終了指示部７０２を介して入力された操作者による入力情報を受け、撮影制御部１０２１に入力する。撮影制御部１０２１は、操作検知部１０２４から入力された情報に基づいて、放射線撮影部を制御する。再転送の指示が入力された場合、撮影制御部１０２１は、中断した画像データの再転送を放射線撮影部１０１に要求し、放射線撮影部に中断した画像データの再転送を実行させる。画像転送の終了指示が入力された場合、撮影制御部１０２１は、中断した画像の転送を終了させる。
【００３４】
ステップＳ１１５において、撮影制御部１０２１は、操作検知部１０２４から入力された情報に基づいて、中断した画像データの再転送を実施するか否かを判定する。画像転送の終了指示が入力された場合（図７の終了指示部７０２のボタンが操作者により押下された場合）、すなわち、再転送を実施しない場合（Ｓ１１５−Ｎｏ）、処理はステップＳ１１１に進められ、ステップＳ１１１において、撮影制御部１０２１は、中断した画像の転送を終了させる。
【００３５】
一方、ステップＳ１１５の判定において、再転送の指示が入力された場合（図７の再転送指示部７０１のボタンが操作者により押下された場合）、すなわち、再転送を実施する場合（Ｓ１１５−Ｙｅｓ）、ステップＳ１１６へ処理は進められる。
【００３６】
ステップＳ１１６において、撮影制御部１０２１は、中断した画像データの再転送を放射線撮影部１０１に要求し、放射線撮影部に中断した画像データの再転送を実行させる。そして、処理はステップＳ１０３に戻され、ステップＳ１０３において、受信制御部１０２２は、放射線撮影部１０１から再度転送される画像データの受信を開始する。以上の処理がコンソール１０２の処理手順である。
【００３７】
（放射線撮影部１０１の処理手順）
次に、放射線撮影システム１０の放射線撮影部１０１の処理手順を説明する。図３は、放射線撮影システム１０において、放射線撮影部１０１が実行する放射線撮影、画像データの転送、転送処理の中断、および放射線撮影の終了までの処理手順を示すフローチャートである。
【００３８】
まず、ステップＳ２０１において、放射線撮影部１０１は、コンソール１０２から撮影で使用する通知を受信すると、放射線撮影の準備を実施する。
【００３９】
ステップＳ２０２において、放射線撮影部１０１は、コンソール１０２から送信された第一の中断判定時間（第一のタイムアウト時間ａ）、および第二の中断判定時間（第二のタイムアウト時間ｂ）を受信する。
【００４０】
次に、放射線撮影の準備が整ったら、ステップＳ２０３において、放射線撮影部１０１は、放射線撮影を開始する。放射線撮影部１０１は、放射線発生装置２０と同期信号を用いて放射線撮影を行ってもよいし、放射線撮影部１０１は、放射線発生装置２０からの放射線を検知したことをきっかけに放射線撮影を開始してもよい。
【００４１】
放射線撮影を開始したら、ステップＳ２０４において、放射線撮影部１０１は、放射線を受光してデジタル画像を生成する。次に、ステップＳ２０５において、放射線撮影部１０１は、生成したデジタル画像をコンソール１０２へ送信するため、画像転送にかかる経過時間ｔ１の計測を開始する。放射線撮影部１０１は、放射線画像の転送にかかる経過時間を計測する計測部を備えており、計測部は、放射線画像の転送開始からの経過時間を計測する。本実施形態において、放射線撮影部１０１は、生成した放射線画像を縮小した縮小画像データの転送が完了した後に、生成した放射線画像(全画像データ)を転送する。
【００４２】
ステップＳ２０６において、放射線撮影部１０１は、まず縮小画像データを転送する。ステップＳ２０７において、放射線撮影部１０１は、縮小画像データの転送が完了したか否かを判定する。放射線撮影部１０１の制御部１０３は、放射線画像の転送が完了していない場合に、計測された時間と、設定された中断判定時間との比較に基づいて、で転送を継続するか、または転送を中断するかを判定する。ステップＳ２０７の判定で、縮小画像データの転送が完了していない場合（Ｓ２０７−Ｎｏ）、処理はステップＳ２０８に進められる。
【００４３】
ステップＳ２０８において、放射線撮影部１０１の制御部１０３は、計測された時間（経過時間ｔ１）が第一のタイムアウト時間ａ（中断判定時間）を超えているか否かを判定する。経過時間ｔ１が第一のタイムアウト時間ａ（中断判定時間）を超えている場合（Ｓ２０８−Ｎｏ）、処理はステップＳ２１２へ進められる。すなわち、放射線撮影部１０１の制御部１０３は、計測された時間（経過時間ｔ１）が、設定された時間（第一のタイムアウト時間ａ（中断判定時間））を超えている場合、転送を中断すると判定する。
【００４４】
一方、ステップＳ２０８の判定で、経過時間ｔ１が第一のタイムアウト時間ａを超えていない場合（Ｓ２０８−Ｙｅｓ）、処理はステップＳ２０６に戻され、ステップＳ２０６において、放射線撮影部１０１は、縮小画像データの転送処理を実行する。すなわち、放射線撮影部１０１の制御部１０３は、計測された時間（経過時間ｔ１）が、設定された時間（第一のタイムアウト時間ａ（中断判定時間））を超えていない場合、転送を継続すると判定する。
【００４５】
ステップＳ２０７の判定で、縮小画像データの転送が完了している場合（Ｓ２０７−Ｙｅｓ）、処理はステップＳ２０９に進められる。
【００４６】
ステップＳ２０９において、放射線撮影部１０１は、撮影により取得した全画像データを転送する。ステップＳ２１０において、放射線撮影部１０１は、全画像データの転送が完了したか否かを判定する。放射線撮影部１０１の制御部１０３は、放射線画像の転送が完了していない場合に、計測された時間と、設定された中断判定時間との比較に基づいて、で転送を継続するか、または転送を中断するかを判定する。ステップＳ２１０の判定で、縮小画像データの転送が完了していない場合（Ｓ２１０−Ｎｏ）、処理はステップＳ２１１に進められる。
【００４７】
ステップＳ２１１において、放射線撮影部１０１は、計測された時間（経過時間ｔ１）が第二のタイムアウト時間ｂ（中断判定時間）を超えているか否かを判定する。経過時間ｔ１が第二のタイムアウト時間ｂ（中断判定時間）を超えている場合（Ｓ２１１−Ｎｏ）、処理はステップＳ２１２へ進められる。すなわち、放射線撮影部１０１の制御部１０３は、計測された時間（経過時間ｔ１）が、設定された時間（第二のタイムアウト時間ｂ（中断判定時間））を超えている場合、転送を中断すると判定する。
【００４８】
一方、ステップＳ２１１の判定で、経過時間ｔ１が第二のタイムアウト時間ｂを超えていない場合（Ｓ２１１−Ｙｅｓ）、処理はステップＳ２０９に戻され、ステップＳ２０９において、放射線撮影部１０１は、全画像データの転送処理を実行する。すなわち、放射線撮影部１０１の制御部１０３は、計測された時間（経過時間ｔ１）が、設定された時間（第二のタイムアウト時間ｂ（中断判定時間））を超えていない場合、転送を継続すると判定する。
【００４９】
ステップＳ２１０の判定で、全画像データの転送が完了している場合（Ｓ２１０−Ｙｅｓ）、処理はステップＳ２１４に進められる。
【００５０】
一方、ステップＳ２１２では、経過時間ｔ１が第一のタイムアウト時間ａあるいは第二のタイムアウト時間ｂを超えたため、放射線撮影部１０１は画像転送を中断する。そして、ステップＳ２１３において、放射線撮影部１０１は画像転送を中断した旨をコンソール１０２に通知する。すなわち、放射線撮影部１０１の制御部１０３は、転送を中断する場合、画像転送の中断を示す通知を出力する。先に説明した、コンソール１０２の処理手順（Ｓ１０５、Ｓ１０９）において、受信制御部１０２２は、放射線撮影部１０１から送信される通知に基づいて、放射線撮影部１０１が画像転送を中断したか否かを判定することが可能である。
【００５１】
ステップＳ２１４において、放射線撮影部１０１は、経過時間ｔ１の計測を終了し、ステップＳ２１５において、放射線撮影部１０１は、放射線撮影を終了する。以上の処理は、放射線撮影部１０１が実行する放射線撮影、画像データの転送、転送処理の中断、および放射線撮影の終了までの処理手順である。
【００５２】
次に、放射線撮影部１０１が実行する中断した画像データの再転送処理手順について説明する。
【００５３】
図４は、放射線撮影システム１０において、放射線撮影部１０１が実行する画像データの再転送処理手順を示すフローチャートである。
【００５４】
ステップＳ３０１において、放射線撮影部１０１は、コンソール１０２から画像データの再転送の要求を受信する。コンソール１０２から送信される再転送の要求は、図２のステップＳ１１６において、コンソール１０２の撮影制御部１０２１から送信される中断した画像データの再転送の要求に対応するものである。再転送の要求を受信すると、ステップＳ３０２において、放射線撮影部１０１は、画像転送を開始するため、画像転送にかかる経過時間ｔ１の計測を開始する。
【００５５】
ステップＳ３０３において、放射線撮影部１０１は、まず縮小画像データを送信する。ステップＳ３０４において、放射線撮影部１０１は、縮小画像データの転送が完了したか否かを判定する。ステップＳ３０４の判定で、縮小画像データの転送が完了していない場合（Ｓ３０４−Ｎｏ）、処理はステップＳ３０５に進められる。
【００５６】
ステップＳ３０５において、放射線撮影部１０１は、経過時間ｔ１が第一のタイムアウト時間ａを超えているか否かを判定する。経過時間ｔ１が第一のタイムアウト時間ａを超えている場合（Ｓ３０５−Ｎｏ）、処理はステップＳ３１０へ進められ、経過時間ｔ１が第一のタイムアウト時間ａを超えていない場合（Ｓ３０３−Ｙｅｓ）、処理はステップＳ３０３に戻され、ステップＳ３０３において、放射線撮影部１０１は、縮小画像データの転送処理を実行する。
【００５７】
一方、ステップＳ３０４の判定で、縮小画像データの転送が完了している場合（Ｓ３０４−Ｙｅｓ）、処理はステップＳ３０６に進められる。
【００５８】
ステップＳ３０６において、放射線撮影部１０１は、撮影により取得した全画像データを転送する。
【００５９】
ステップＳ３０７において、放射線撮影部１０１は、全画像データの転送が完了したか否かを判定する。ステップＳ３０７の判定で、全画像データの転送が完了していない場合（Ｓ３０７−Ｎｏ）、処理はステップＳ３０８に進められる。
【００６０】
ステップＳ３０８において、放射線撮影部１０１は、経過時間ｔ１が第二のタイムアウト時間ｂを超えているか否かを判定する。経過時間ｔ１が第二のタイムアウト時間ｂを超えている場合（Ｓ３０８−Ｎｏ）、処理はステップＳ３１０へ進められ、経過時間ｔ１が第二のタイムアウト時間ｂを超えていない場合（Ｓ３０８−Ｙｅｓ）、処理はステップＳ３０６に戻され、ステップＳ３０６において、放射線撮影部１０１は、全画像データの転送処理を実行する。
【００６１】
一方、ステップＳ３０７の判定で、全画像データの転送が完了している場合（Ｓ３０７−Ｙｅｓ）、処理はステップＳ３０９に進められる。
【００６２】
ステップＳ３１０では、経過時間ｔ１が第一のタイムアウト時間ａあるいは第二のタイムアウト時間ｂを超えたため、放射線撮影部１０１は画像転送を中断する。そして、ステップＳ３１１において、放射線撮影部１０１は画像転送（再転送）を中断した旨をコンソール１０２に通知する。先に説明した、コンソール１０２の処理手順（Ｓ１０５、Ｓ１０９）において、受信制御部１０２２は、放射線撮影部１０１から送信される通知に基づいて、放射線撮影部１０１が画像転送（再転送）を中断したか否かを判定することが可能である。
【００６３】
ステップＳ３０９において、放射線撮影部１０１は、経過時間ｔ１の計測を終了し、中断した画像データの再転送に関する処理を終了する。尚、コンソール１０２から再度、中断した画像データの再転送の要求を受信すると（Ｓ３０１）、放射線撮影部１０１は、図４で説明したステップＳ３０１〜Ｓ３１１の処理手順を実行する。  以上のように、画像転送開始から縮小画像データを表示するまでのタイムアウト時間（第一のタイムアウト時間ａ）を短く設定し、画像転送開始から全画像データを表示するまでのタイムアウト時間（第二のタイムアウト時間ｂ）を長く設定する。このように、第一のタイムアウト時間ａおよび第二のタイムアウト時間ｂを設定することにより、画像転送の通信経路（通信環境）が不安定な状況においても、縮小画像データの転送までは早く転送を完了させ、縮小画像データの転送完了以降は少しずつでも確実に全画像データの転送を行うことが可能な放射線撮影システム１０を実現することが可能になる。
【００６４】
放射線撮影部１０１の制御部１０３は、再転送指示部７０１から画像の再転送が指示された場合、制御部１０３は、画像データにおいて中断した画素を示す画素情報に基づいて、中断した画素から未転送の画像データを転送するように転送制御を行うことが可能である。例えば、放射線撮影部１０１の画像転送が中断した場合、コンソール１０２で受信した画像をコンソール１０２内の記憶部に記憶し、放射線撮影部１０１の制御部１０３は、画像データにおいて中断した画素を示す画素情報を記憶する。放射線撮影部１０１の制御部１０３は、画像データにおいて中断した画素を示す画素情報に基づいて、画像の再転送は中断した途中の画像データから転送してもよい。あるいは、放射線撮影部１０１の制御部１０３は、再転送指示部７０１から画像の再転送が指示された場合、制御部１０３は、転送開示時の画像データを初めから転送するように転送制御を行うことが可能である。例えば、コンソール１０２で受信した画像を記憶せず、放射線撮影部１０１の制御部１０３は、画像データにおいて中断した画素を示す画素情報を記憶せず、放射線撮影部１０１の画像の再転送は初めの画像データから転送してもよい。
【００６５】
（第２実施形態）
次に、第２実施形態の放射線撮影システムの構成について説明する。本実施形態の放射線撮影システムでは、放射線撮影部１０１に設定された第一の中断判定時間（第一のタイムアウト時間ａ）、および第二の中断判定時間（第二のタイムアウト時間ｂ）とは異なった第一の中断判定時間（ａ+α）および第二の中断判定時間(ｂ+β)をコンソール１０２に設定し、放射線画像データの転送状況に基づいて、画像データの受信を継続するか、または画像データの受信を終了するかを判定する構成を説明する。第２実施形態の放射線撮影システムの構成は、第１実施形態で説明した放射線撮影システムの構成（図１）と共通である。
【００６６】
図１０は、第２実施形態における放射線撮影システム１０において、コンソール１０２が撮影で使用する放射線撮影部１０１を特定し、放射線撮影を実施し、放射線撮影を終了するまでの、コンソール１０２の処理手順を示すフローチャートである。
【００６７】
まず、ステップＳ４０１において、コンソール１０２の撮影制御部１０２１は、複数の放射線撮影部（単に「撮影部」ともいう）の中から撮影で使用する放射線撮影部１０１を決定し、撮影制御部１０２１は、決定した放射線撮影部１０１に対して通知する。
【００６８】
ステップＳ４０２において、撮影制御部１０２１は、ステップＳ４０１で決定した放射線撮影部１０１に対応する第一の中断判定時間（第一のタイムアウト時間ａ）、および第二の中断判定時間（第二のタイムアウト時間ｂ）を、放射線撮影部１０１に対して送信する。ここで、撮影制御部１０２１は、決定した撮影部の画像サイズに合った画像データ表示時間から、第一のタイムアウト時間ａ、第二のタイムアウト時間ｂを決定してもよい。例えば、図９に示すように、撮影部Ａの画像サイズは２８００(pixel)×３４０８(pixel)であり、撮影制御部１０２１は、この画像サイズに対応する画像データ表示時間（縮小画像データ表示時間８０００ｍｓｅｃ、全画像データ表示時間３３０００ｍｓｅｃ）を図９（ａ）のテーブルから取得して、第一の中断判定時間（第一のタイムアウト時間ａ）、および第二の中断判定時間（第二のタイムアウト時間ｂ）として放射線撮影部１０１に対して送信することが可能である。
【００６９】
次に、ステップＳ４０３において、受信制御部１０２２は、放射線撮影部１０１が画像データの送信を始めたことをきっかけに、画像データの受信を開始する。
【００７０】
ステップＳ４０４において、受信制御部１０２２は、画像データの受信開始からの経過時間ｔ２の計測を開始する。受信制御部１０２２は、受信開始からの経過時間を計測する計測部を備えており、計測部は、画像データの受信開始からの経過時間を計測する。
【００７１】
ステップＳ４０５において、受信制御部１０２２は、縮小画像データの受信が完了したか否かを判定する。縮小画像データの受信が完了していれば（Ｓ４０５−Ｙｅｓ）、処理はステップＳ４０７へ進められる。受信制御部１０２２は、縮小画像データの受信が完了したか否かを判定し、縮小画像データの受信が完了している場合、表示制御部１０２３は、縮小画像データを表示装置３０に表示させる。一方、縮小画像データの受信が完了していなければ（Ｓ４０５−Ｎｏ）、処理はステップＳ４０６へと進められる。
【００７２】
ステップＳ４０６において、受信制御部１０２２は、縮小画像データの受信が完了したか否かを判定し、縮小画像データの受信が完了していない場合に、計測された時間と、第一の中断判定時間に基づく時間（第一のタイムアウト時間ａ+α：任意に設定可能な付加時間）との比較により、縮小画像データの受信を継続するか、または縮小画像データの受信を終了するかを判定する。ここで、第一の中断判定時間に基づく時間は、第一の中断判定時間ａに、設定可能な付加時間αを加算した時間である。受信制御部１０２２は、経過時間ｔ２が第一の中断判定時間に基づく時間（第一のタイムアウト時間ａ+付加時間α）を超えているか否かを判定する。コンソール１０２における第一のタイムアウト時間は、放射線撮影部１０１に設定した時間にプラスして放射線撮影部１０１のタイムアウト時間より長くしてもよい。この例では、放射線撮影部１０１に通知した第一のタイムアウト時間ａに付加時間（３００ｍｓｅｃ）を加算した時間を、コンソール１０２における第一のタイムアウト時間としている。
【００７３】
経過時間ｔ２が第一のタイムアウト時間（ａ＋３００ｍｓｅｃ）を超えている場合（Ｓ４０６−Ｎｏ）、処理はステップＳ４１４へ進められる。一方、ステップＳ４０６の判定で、経過時間ｔ２が第一のタイムアウト時間（ａ＋３００ｍｓｅｃ）を超えていない場合（Ｓ４０６−Ｙｅｓ）、処理はステップＳ４０５へと戻され、ステップＳ４０５において同様の処理が実行される。そして、ステップＳ４０５において、縮小画像データの受信が完了していると判定された場合（４０５−Ｙｅｓ）、処理はステップＳ４０７へ進められる。
【００７４】
ステップＳ４０７において、表示制御部１０２３は、受信が完了した縮小画像データを表示装置３０に表示させる。更に、ステップＳ４０８において、表示制御部１０２３は、表示装置３０に表示させた縮小画像データに対して画像編集を可能とする。ここで、図６は、表示装置３０における縮小画像データの表示例を示す図である。表示制御部１０２３は、例えば、図６のように縮小画像データを表示装置３０に表示させて、画像の切り出し、画像の回転、画像の反転などの画像編集操作を可能とするように表示制御を行う。表示制御部１０２３は、画像編集操作を行うための画像編集部６０１を表示装置３０の表示画面内に表示させて、画像編集部６０１を介した編集操作に基づいて、縮小画像データの画像編集操作を可能とする。
【００７５】
次に、ステップＳ４０９において、受信制御部１０２２は、全画像データの受信が完了したか否かを判定する。全画像データの受信が完了していれば（Ｓ４０９−Ｙｅｓ）、処理はステップＳ４１１へ進められる。一方、全画像データの受信が完了していなければ（Ｓ４０９−Ｎｏ）、処理はステップＳ４１０へと進められる。
【００７６】
ステップＳ４１０において、受信制御部１０２２は、生成された放射線画像データ(全画像データ)の受信が完了したか否かを判定し、生成された放射線画像データの受信が完了していない場合に、計測された時間と、第二の中断判定時間に基づく時間（第二のタイムアウト時間ｂ+β：任意に設定可能な付加時間）との比較により、生成された放射線画像データの受信を継続するか、または生成された放射線画像データの受信を終了するかを判定する。ここで、第二の中断判定時間に基づく時間は、第二の中断判定時間ｂに、設定可能な付加時間βを加算した時間である。受信制御部１０２２は、経過時間ｔ２が第二の中断判定時間に基づく時間（第二のタイムアウト時間ｂ+付加時間ｂ）を超えているか否かを判定する。コンソール１０２における第二のタイムアウト時間は、放射線撮影部１０１に設定した時間にプラスして放射線撮影部１０１のタイムアウト時間より長くしてもよい。この例では、放射線撮影部１０１に通知した第二のタイムアウト時間ｂに付加時間（５００ｍｓｅｃ）を加算した時間を、コンソール１０２における第二のタイムアウト時間としている。
【００７７】
経過時間ｔ２が第二のタイムアウト時間（ｂ＋５００ｍｓｅｃ）を超えている場合（Ｓ４１０−Ｎｏ）、処理はステップＳ４１４へ進められる。一方、ステップＳ４１０の判定で、経過時間ｔ２が第二のタイムアウト時間（ｂ＋５００ｍｓｅｃ）を超えていない場合（Ｓ４１０−Ｙｅｓ）、処理はステップＳ４０９へと戻され、ステップＳ４０９において同様の処理が実行される。そして、ステップＳ４０９において、全画像データの受信が完了していると判定された場合（４０９−Ｙｅｓ）、処理はステップＳ４１１へ進められる。
【００７８】
ステップＳ４１１において、表示制御部１０２３は、受信が完了した全画像データを表示装置３０に表示させる。ステップＳ４１２において、受信制御部１０２２は、経過時間ｔ２の計測を終了する。そして、ステップＳ４１３において、受信制御部１０２２は、画像データの受信処理を終了する。表示制御部１０２３は、例えば、図８のように全画像データを表示装置３０に表示させて、画像の切り出し、画像の回転、画像の反転などの画像編集操作を可能とするように表示制御を行う。表示制御部１０２３は、画像編集操作を行うための画像編集部８０１を表示装置３０の表示画面内に表示させて、画像編集部８０１を介した編集操作に基づいて、全画像データの画像編集操作を可能とする。
【００７９】
一方、ステップＳ４１４において、受信制御部１０２２は、ステップＳ４０６やステップＳ４１０で経過時間がタイムアウト時間を超えたと判定したため、経過時間ｔ２の計測を終了し、ステップＳ４１５において、受信制御部１０２２は、画像データの受信を終了する。
【００８０】
ステップＳ４１６において、受信制御部１０２２は、放射線撮影部１０１により撮影される画像サイズと画像転送が完了した画像データとに基づいて、転送が完了した割合を示す画像転送の進捗率を計算する。すなわち、受信制御部１０２２は、画像転送を中断する前までに、全画像データにおける何パーセント分の画像データを受信しているか、画像転送の進捗率（転送進捗率）を計算する。
【００８１】
更に、ステップＳ４１７において、表示制御部１０２３は、ステップＳ４１６で計算された画像転送の進捗率（転送進捗率）と、転送が中断したことを通知するメッセージを表示装置３０に表示させる。図７に示すように、表示制御部１０２３は、画像の再転送を撮影部に指示する再転送指示部７０１と、画像転送の終了を指示する終了指示部７０２を表示装置３０の表示画面内に表示させて、再転送指示部７０１または終了指示部７０２を介した操作に基づいて、画像の再転送を実行するか、画像の転送を終了させるかを選択することを可能にする。
【００８２】
操作検知部１０２４は、再転送指示部７０１または終了指示部７０２を介して入力された操作者による入力情報を受け、撮影制御部１０２１に入力する。撮影制御部１０２１は、操作検知部１０２４から入力された情報に基づいて、放射線撮影部を制御する。再転送の指示が入力された場合、撮影制御部１０２１は、中断した画像データの再転送を放射線撮影部１０１に要求し、放射線撮影部に中断した画像データの再転送を実行させる。画像転送の終了指示が入力された場合、撮影制御部１０２１は、中断した画像の転送を終了させる。
【００８３】
ステップＳ４１８において、撮影制御部１０２１は、操作検知部１０２４から入力された情報に基づいて、中断した画像データの再転送を実施するか否かを判定する。画像転送の終了指示が入力された場合（図７の終了指示部７０２のボタンが操作者により押下された場合）、すなわち、再転送を実施しない場合（Ｓ４１８−Ｎｏ）、処理はステップＳ４１３に進められ、ステップＳ４１３において、撮影制御部１０２１は、中断した画像の転送を終了させる。
【００８４】
一方、ステップＳ４１８の判定において、再転送の指示が入力された場合（図７の再転送指示部７０１のボタンが操作者により押下された場合）、すなわち、再転送を実施する場合（Ｓ４１８−Ｙｅｓ）、ステップＳ４１９へ処理は進められる。
【００８５】
ステップＳ４１９において、撮影制御部１０２１は、中断した画像データの再転送を放射線撮影部１０１に要求し、放射線撮影部に中断した画像データの再転送を実行させる。そして、処理はステップＳ４０３に戻され、ステップＳ４０３において、受信制御部１０２２は、放射線撮影部１０１から再度転送される画像データの受信を開始する。以上の処理がコンソール１０２の処理手順である。
【００８６】
以上のように、画像転送のタイムアウトをコンソール１０２で実施する構成でも、第１実施形態と同様の効果が得られる。つまり、画像転送開始から縮小画像データを表示するまでのタイムアウト時間（第一のタイムアウト時間）を短く設定し、画像転送開始から全画像データを表示するまでのタイムアウト時間（第二のタイムアウト時間）を長く設定する。このように、第一のタイムアウト時間および第二のタイムアウト時間を設定することにより、画像転送の通信経路（通信環境）が不安定な状況においても、縮小画像データの転送までは早く転送を完了させ、縮小画像データの転送完了以降は少しずつでも確実に全画像データの転送を行うことが可能な放射線撮影システム１０を実現することが可能になる
（第３実施形態）
次に、第３実施形態の放射線撮影システムの構成について説明する。本実施形態の放射線撮影システムでは、放射線撮影部１０１における放射線の蓄積時間（ｃ）を考慮して、第一の中断判定時間（第一のタイムアウト時間ａ＋ｃ）、および第二の中断判定時間（第二のタイムアウト時間ｂ＋ｃ）を設定し、画像転送が中断されたか否かを判定する構成について説明する。第３実施形態の放射線撮影システムの構成は、第１実施形態で説明した放射線撮影システムの構成（図１）と共通である。
【００８７】
図１１は、第３実施形態における放射線撮影システム１０において、コンソール１０２が使用する放射線撮影部１０１を特定し、放射線撮影を実施し、放射線撮影を終了するまでの、コンソール１０２の処理手順を示すフローチャートである。
【００８８】
まず、ステップＳ５０１において、コンソール１０２の撮影制御部１０２１は、複数の放射線撮影部（単に「撮影部」ともいう）の中から撮影で使用する放射線撮影部１０１を決定し、撮影制御部１０２１は、決定した放射線撮影部１０１に対して通知する。図５は、表示装置３０の表示例を示す図であり、例えば、図５のような表示装置３０に表示する画面には、放射線撮影で使用する放射線撮影部の状態や患者情報、撮影条件が表示されている。撮影条件には紐付いた撮影部が設定されている。例えば、図５の表示例では、撮影条件１（撮影部位：CHESTPA、時間：500msec）には、撮影部Ａが対応しており、撮影条件５（撮影部位：CHESTPA、時間：600msec）には、撮影部Ｂが対応している。ＧＵＩあるいは外部操作装置等で入力される撮影条件の選択に基づいて、コンソール１０２は、放射線撮影で使用する放射線撮影部１０１を決定することができる。図５の表示例では、撮影条件１が選択された状態（選択中）であり、撮影条件１の撮影で使用する撮影部（この場合は撮影部Ａ）の状態表示５０１が「撮影準備中」と表示された状態になっている。
【００８９】
ステップＳ５０２において、撮影制御部１０２１は、撮影条件に基づいて放射線の蓄積時間ｃを決定する。図１２は、撮影条件と蓄積時間の組み合わせ例を示す図であり、撮影制御部１０２１は、図１２に示すテーブルを記憶する不揮発性の記憶部を有している。例えば、図１２に示すように、撮影条件に対して使用する撮影部や撮影部位、蓄積時間、撮影方向などが対応付けられている。図５で選択した撮影条件１に対応する蓄積時間は５００ｍｓｅｃである。このため、撮影制御部１０２１は、放射線の蓄積時間ｃを５００ｍｓｅｃに決定する。
【００９０】
ステップＳ５０３において、撮影制御部１０２１は、ステップＳ５０１で決定した放射線撮影部１０１に対応した第一のタイムアウト時間ａ（＝ａ＋ｃ）、および第二のタイムアウト時間ｂ（＝ｂ＋ｃ）を、放射線撮影部１０１に対して送信する。ここで、撮影制御部１０２１は、決定した撮影部の画像サイズに合った画像データ表示時間から、第一のタイムアウト時間ａ、第二のタイムアウト時間ｂを決定してもよい（図９）。そして、撮影制御部１０２１は、第一のタイムアウト時間ａ、第二のタイムアウト時間ｂに対して、放射線の蓄積時間ｃを加算した時間を、第一のタイムアウト時間ａ（＝ａ＋ｃ）、および第二のタイムアウト時間ｂ（＝ｂ＋ｃ）として取得する。例えば、図９に示すように、撮影部Ａの画像サイズは２８００(pixel)×３４０８(pixel)であり、撮影制御部１０２１は、この画像サイズに対応する画像データ表示時間（縮小画像データ表示時間８０００ｍｓｅｃ、全画像データ表示時間３３０００ｍｓｅｃ）を図９（ａ）のテーブルから取得し、取得した時間に放射線の蓄積時間ｃを加算して、第一の中断判定時間（第一のタイムアウト時間ａ＝（ａ＋ｃ））、および第二の中断判定時間（第二のタイムアウト時間ｂ＝（ｂ＋ｃ））として放射線撮影部１０１に対して送信することが可能である。放射線撮影部１０１は、第一の中断判定時間（第一のタイムアウト時間ａ＝（ａ＋ｃ））、および第二の中断判定時間（第二のタイムアウト時間ｂ＝（ｂ＋ｃ））に基づいて、転送を継続するか、または転送を中断するかを判定して転送を制御する。具体的には、放射線撮影部１０１の処理手順を示す図３および図４のフローチャートにおいて、ステップＳ２０８およびステップＳ３０５では、第一の中断判定時間（第一のタイムアウト時間ａ＝（ａ＋ｃ））に基づいて判定処理が行われる。また、ステップＳ２１１およびステップＳ３０８では、第二の中断判定時間（第二のタイムアウト時間ｂ＝（ｂ＋ｃ））に基づいて判定処理が行われる。すなわち、第一の中断判定時間および第二の中断判定時間は、撮影条件によって決定される放射線撮影部１０１における放射線の蓄積時間ｃに基づいて設定される。
【００９１】
次に、ステップＳ５０４において、受信制御部１０２２は、放射線撮影部１０１が画像データの送信を始めたことをきっかけに、画像データの受信を開始する。
【００９２】
ステップＳ５０５において、受信制御部１０２２は、縮小画像データの受信が完了したか否かを判定する。縮小画像データの受信が完了していれば（Ｓ５０５−Ｙｅｓ）、処理はステップＳ５０７へ進められる。一方、縮小画像データの受信が完了していなければ（Ｓ５０５−Ｎｏ）、処理はステップＳ５０６へと進められる。
【００９３】
ステップＳ５０６において、受信制御部１０２２は、放射線撮影部１０１が画像転送を中断したか否かを判定する。放射線撮影部１０１において画像転送が中断された場合、放射線撮影部１０１は、画像転送を中断した旨をコンソール１０２に通知する。受信制御部１０２２は、放射線撮影部１０１から送信される通知に基づいて、放射線撮影部１０１が画像転送を中断したか否かを判定することが可能である。放射線撮影部１０１が画像転送を中断していれば（Ｓ５０６−Ｙｅｓ）、処理はステップＳ５１３へ進められる。一方、放射線撮影部１０１が画像転送を中断していなければ（Ｓ５０６−Ｎｏ）、処理はステップＳ５０５へと戻され、ステップＳ５０５において同様の処理が実行される。そして、ステップＳ５０５において、縮小画像データの受信が完了していると判定された場合（Ｓ５０５−Ｙｅｓ）、処理はステップＳ５０７へ進められる。
【００９４】
ステップＳ５０７において、表示制御部１０２３は、受信が完了した縮小画像データを表示装置３０に表示させる。更に、ステップＳ５０８において、表示制御部１０２３は、表示装置３０に表示させた縮小画像データに対して画像編集を可能とする。ここで、図６は、表示装置３０における縮小画像データの表示例を示す図である。表示制御部１０２３は、例えば、図６のように縮小画像データを表示装置３０に表示させて、画像の切り出し、画像の回転、画像の反転などの画像編集操作を可能とするように表示制御を行う。表示制御部１０２３は、画像編集操作を行うための画像編集部６０１を表示装置３０の表示画面内に表示させて、画像編集部６０１を介した編集操作に基づいて、縮小画像データの画像編集操作を可能とする。
【００９５】
縮小画像データが表示された状態（図６）では、撮影部Ａにおいて縮小画像データの転送処理は完了した状態であり、撮影部Ａは、全画像データの転送を行っている状態である。表示制御部１０２３は撮影部Ａの状態表示６０２を「全画像データ転送中」と表示させる。
【００９６】
次に、ステップＳ５０９において、受信制御部１０２２は、全画像データの受信が完了したか否かを判定する。全画像データの受信が完了していれば（Ｓ５０９−Ｙｅｓ）、処理はステップＳ５１１へ進められる。一方、全画像データの受信が完了していなければ（Ｓ５０９−Ｎｏ）、処理はステップＳ５１０へと進められる。
【００９７】
ステップＳ５１０において、受信制御部１０２２は、放射線撮影部１０１が画像転送を中断したか否かを判定する。放射線撮影部１０１において画像転送が中断された場合、放射線撮影部１０１は、画像転送を中断した旨をコンソール１０２に通知する。受信制御部１０２２は、放射線撮影部１０１から送信される通知に基づいて、放射線撮影部１０１が画像転送を中断したか否かを判定することが可能である。放射線撮影部１０１が画像転送を中断していれば（Ｓ５１０−Ｙｅｓ）、処理はステップＳ５１３へ進められる。一方、放射線撮影部１０１が画像転送を中断していなければ（Ｓ５１０−Ｎｏ）、処理はステップＳ５０９へと戻され、ステップＳ５０９において同様の処理が実行される。そして、ステップＳ５０９において、全画像データの受信が完了していると判定された場合（Ｓ５０９−Ｙｅｓ）、処理はステップＳ５１１へ進められる。
【００９８】
ステップＳ５１１において、表示制御部１０２３は、受信が完了した全画像データを表示装置３０に表示させ、ステップＳ５１２において、受信制御部１０２２は、画像データの受信処理を終了する。画像データの転送が中断された場合において、画像転送の終了指示が入力された場合、本ステップで、撮影制御部１０２１は、中断した画像の転送を終了させる。ここで、図８は、表示装置３０における全画像データの表示例を示す図である。表示制御部１０２３は、例えば、図８のように全画像データを表示装置３０に表示させて、画像の切り出し、画像の回転、画像の反転などの画像編集操作を可能とするように表示制御を行う。表示制御部１０２３は、画像編集操作を行うための画像編集部８０１を表示装置３０の表示画面内に表示させて、画像編集部８０１を介した編集操作に基づいて、全画像データの画像編集操作を可能とする。
【００９９】
全画像データが表示された状態（図８）では、撮影部Ａにおいて全画像データの転送処理は完了した状態であり、図８の表示例では、撮影部Ａを使用した撮影条件１は撮影済として表示されている（８０２）。また、次の撮影では、撮影部Ｂを使用する撮影条件５が選択された状態（選択中）として表示されている（８０３）。図８では、撮影条件５の撮影で使用する撮影部（この場合は撮影部Ｂ）の状態表示８０４が「撮影準備中」と表示された状態になっている。
【０１００】
次に、ステップＳ５１３において、受信制御部１０２２は、ステップＳ５０６やステップＳ５１０で画像転送が中断したと判定したため、画像データの受信処理を中断する。
【０１０１】
ステップＳ５１４において、受信制御部１０２２は、放射線撮影部１０１により撮影される画像サイズと画像転送が完了した画像データとに基づいて、転送が完了した割合を示す画像転送の進捗率を計算する。すなわち、受信制御部１０２２は、画像転送を中断する前までに、全画像データにおける何パーセント分の画像データを受信しているか、画像転送の進捗率（転送進捗率）を計算する。例えば、撮影部Ａにより撮影される画像サイズは、図９に示すように、撮影部Ａの画像サイズは２８００(pixel)×３４０８(pixel)であり、受信制御部１０２２は、この画像サイズに対する画像転送が完了した画像データの割合を取得することにより画像転送の進捗率（転送進捗率）を計算することが可能である。この例では、撮影部Ａの例を示しているが図９（ｂ）に示す他の撮影部を使用した場合であっても同様である。
【０１０２】
更に、ステップＳ５１５において、表示制御部１０２３は、ステップＳ５１４で計算された画像転送の進捗率（転送進捗率）と、転送が中断したことを通知するメッセージを表示装置３０に表示させる。ここで、図７は、表示装置３０における画像転送の進捗率（転送進捗率）と、転送が中断したことを通知するメッセージの表示例を示す図である。画像データの転送が中断された状態（図７）では、撮影で使用している撮影部（この場合は撮影部Ａ）の状態表示７０３が「画像転送中断」と表示された状態になっている。図７に示すように、表示制御部１０２３は、画像の再転送を撮影部に指示する再転送指示部７０１と、画像転送の終了を指示する終了指示部７０２を表示装置３０の表示画面内に表示させて、再転送指示部７０１または終了指示部７０２を介した操作に基づいて、画像の再転送を実行するか、画像の転送を終了させるかを選択することを可能にする。
【０１０３】
操作検知部１０２４は、再転送指示部７０１または終了指示部７０２を介して入力された操作者による入力情報を受け、撮影制御部１０２１に入力する。撮影制御部１０２１は、操作検知部１０２４から入力された情報に基づいて、放射線撮影部を制御する。再転送の指示が入力された場合、撮影制御部１０２１は、中断した画像データの再転送を放射線撮影部１０１に要求し、放射線撮影部に中断した画像データの再転送を実行させる。画像転送の終了指示が入力された場合、撮影制御部１０２１は、中断した画像の転送を終了させる。
【０１０４】
ステップＳ５１６において、撮影制御部１０２１は、操作検知部１０２４から入力された情報に基づいて、中断した画像データの再転送を実施するか否かを判定する。画像転送の終了指示が入力された場合（図７の終了指示部７０２のボタンが操作者により押下された場合）、すなわち、再転送を実施しない場合（Ｓ５１６−Ｎｏ）、処理はステップＳ５１２に進められ、ステップＳ５１２において、撮影制御部１０２１は、中断した画像の転送を終了させる。
【０１０５】
一方、ステップＳ５１６の判定において、再転送の指示が入力された場合（図７の再転送指示部７０１のボタンが操作者により押下された場合）、すなわち、再転送を実施する場合（Ｓ５１６−Ｙｅｓ）、ステップＳ５１７へ処理は進められる。
【０１０６】
ステップＳ５１７において、撮影制御部１０２１は、中断した画像データの再転送を放射線撮影部１０１に要求し、放射線撮影部に中断した画像データの再転送を実行させる。そして、処理はステップＳ５０４に戻され、ステップＳ５０４において、受信制御部１０２２は、放射線撮影部１０１から再度転送される画像データの受信を開始する。以上の処理がコンソール１０２の処理手順である。
【０１０７】
以上のように、放射線の蓄積時間のような、画像転送の時間に影響する処理時間を撮影条件に基づいて加算し、第一のタイムアウト時間および第二のタイムアウト時間を撮影条件に基づいて変更することで、よりタイムアウト時間として適切な数値に調整できる。
【０１０８】
放射線の蓄積時間を加算して、画像転送開始から縮小画像データを表示するまでのタイムアウト時間（第一のタイムアウト時間ａ＋ｃ）を短く設定し、画像転送開始から全画像データを表示するまでのタイムアウト時間（第二のタイムアウト時間ｂ＋ｃ）を長く設定する。このように、第一のタイムアウト時間ａ＋ｃおよび第二のタイムアウト時間ｂ＋ｃを設定することにより、画像転送の通信経路（通信環境）が不安定な状況においても、縮小画像データの転送までは早く転送を完了させ、縮小画像データの転送完了以降は少しずつでも確実に全画像データの転送を行うことが可能な放射線撮影システム１０を実現することが可能になる。
【０１０９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１０】
１０：放射線撮影システム、１０１：放射線撮影部、１０２：コンソール、１０３：制御部、１０２１：撮影制御部、１０２２：受信制御部、１０２３：表示制御部、１０２４：操作検知部
【図１】
2017185153.tif 000003
【図２】
2017185153.tif 000004
【図３】
2017185153.tif 000005
【図４】
2017185153.tif 000006
【図５】
2017185153.tif 000007
【図６】
2017185153.tif 000008
【図７】
2017185153.tif 000009
【図８】
2017185153.tif 000010
【図９】
2017185153.tif 000011
【図１０】
2017185153.tif 000012
【図１１】
2017185153.tif 000013
【図１２】
2017185153.tif 000014